(57)【特許請求の範囲】
【請求項１】
被検眼眼底を異なる撮影モードで撮影可能な眼科撮影装置であって、
眼底撮影時眼底を照明する照明光を発光する撮影用光源と、
前記照明光の対物レンズでの有害反射光を遮光する黒点板と、
前記撮影用光源と黒点板間の被検眼水晶体と共役な位置に配置された撮影モードによって大きさ又は位置が可変な第１遮光部材と、
前記撮影用光源からの照明光を被検眼眼底に向ける穴あきミラーと、
前記穴あきミラーと黒点板間の被検眼角膜と共役な位置に配置された撮影モードによって大きさ又は位置が可変な第２遮光部材と、を備え、
前記第２遮光部材と撮影用光源が光学的に共役な位置に配置されることを特徴とする眼科撮影装置。
【請求項２】
前記第２遮光部材は、遮光部と該遮光板を支持する非反射性の支持部を有し、前記撮影用光源は、一部に不発光部があるリング状又はＵ字の発光部を有し、前記第２遮光部材の支持部と、撮影用光源の不発光部とが被検眼角膜と共役な位置にあることを特徴とする請求項１に記載の眼科撮影装置。
【請求項３】
前記第２遮光部材の支持部の角膜面での像が、撮影用光源の不発光部の角膜面での像とほぼ一致するように、該支持部のサイズ並びに位置が定められることを特徴とする請求項２に記載の眼科撮影装置。
【請求項４】
前記撮影モードには、ステレオ撮影モードが含まれることを特徴とする請求項１から３のいずれか１項に記載の眼科撮影装置。
【請求項５】
撮影モードの変更によって、撮影光学系の眼底共役位置に配された撮影マスクを通過する撮影光の透過範囲が変化することを特徴とする請求項１から４のいずれか１項に記載の眼科撮影装置。
【請求項６】
撮影前の眼底観察時と前記撮影用光源が発光する眼底撮影時とで撮影光学系の眼底共役位置に配された撮影マスクを透過する光の透過範囲が変化することを特徴とする請求項１から５のいずれか１項に記載の眼科撮影装置。
【発明の詳細な説明】
【技術分野】
【０００１】
本発明は、眼科撮影装置、更に詳細には、被検眼眼底を単眼撮影、ステレオ撮影など異なる撮影モードで撮影可能な眼底カメラなどの眼科撮影装置に関する。
【背景技術】
【０００２】
眼底カメラでは、被検眼眼底を観察して被検眼とのアライメントを行ったあと、撮影用光源が発光し、被検眼眼底の撮影が行われる。この眼底撮影用光源としては、例えば、Ｕ字型ストロボ管が使用されている（特許文献１）。
【０００３】
また、撮影用光源からの照明光の有害反射光を遮光するとともに、照明光量を絞るためのリングスリットが照明光学系に配置されている。通常リングスリットは、被検眼前眼部の幾つかの箇所、例えば水晶体、角膜などと共役な位置に配置される複数の遮光板で構成され、水晶体と共役な位置に配置された遮光板は水晶体での有害反射光を遮光し、角膜と共役な位置に配置された遮光板は角膜での有害反射光を遮光している。これらの遮光板は、撮影モードが単眼撮影か、ステレオ撮影かによってサイズや形状が異なり、撮影モードに応じて遮光板が切り替えられる。
【０００４】
しかしながら、リングスリットを構成する各遮光板は互いに極めて近い位置に配されるので、遮光板の入れ替え機構を設けるのが困難である。したがって、下記特許文献２に開示されているように、リングスリットの遮光板を分割して一部を異なる位置に配置する構成が採用されている。
【０００５】
また、被検眼に入射する照明光は対物レンズで反射し中心が明るいスポットとなって有害反射光となるので、中心に黒点を有する黒点板を照明光学系の光路に配置し、対物レンズでの有害反射光を遮光して眼底画像の質を向上させている。この黒点板の黒点は、単眼撮影かステレオ撮影かに応じてその位置、形状、大きさ、及び個数などが異なっている（特許文献３）。
【先行技術文献】
【特許文献】
【０００６】
【特許文献１】実公平５−２７７９４号公報
【特許文献２】特開平６−７８８８２号公報
【特許文献３】特開２００９−１６５６１３号公報
【発明の概要】
【発明が解決しようとする課題】
【０００７】
特許文献２に記載されている構成では、リングスリットを構成する一部の遮光板を穴あきミラーと黒点板間に設ける構造が採用されている。この場合、穴あきミラーと黒点板間に設けられた遮光板は、遮光板自身のわずかな反射光が２次光源となり、黒点で取ろうとしている中心スポットの発生源となるので、極力遮光板は光が照射されないように構成するのが望ましい。
【０００８】
また、穴あきミラーと黒点板間に配置された遮光板を透明なガラス板に遮光部を貼り付けた構造にすると、ガラス板の反射が２次光源となり上述と同様の理由から好ましくない。
【０００９】
従って、本発明は、種々の撮影モードで被検眼眼底を撮影しても、被検眼の前眼部（水晶体、角膜）での有害反射光が少なく、高画質の眼底像を取得することが可能な眼科撮影装置を提供することを課題とする。
【課題を解決するための手段】
【００１０】
本発明は、
被検眼眼底を異なる撮影モードで撮影可能な眼科撮影装置であって、
眼底撮影時眼底を照明する照明光を発光する撮影用光源と、
前記照明光の対物レンズでの有害反射光を遮光する黒点板と、
前記撮影用光源と黒点板間の被検眼水晶体と共役な位置に配置された撮影モードによって大きさ又は位置が可変な第１遮光部材と、
前記撮影用光源からの照明光を被検眼眼底に向ける穴あきミラーと、
前記穴あきミラーと黒点板間の被検眼角膜と共役な位置に配置された撮影モードによって大きさ又は位置が可変な第２遮光部材と、を備え、
前記第２遮光部材と撮影用光源が光学的に共役な位置に配置されることを特徴とする。
【発明の効果】
【００１１】
このような構成では、第２遮光部材と撮影用光源が光学的にほぼ共役な位置に配置されるので、第２遮光部材の遮光部を支持する支持部を、撮影光源の不発光部とほぼ同じ角膜位置に結像することにより、撮影用光源が発光してもその支持部のエッジが２次光源となって明るく光ることを防止することができる。従って、２次光源による対物レンズでの反射による有害な中心像は、全体に薄明るい撮影用光源の像と遮光部の像となり、局所的に明るい部分はなく、撮影される眼底画像の品質を高めることができる。
【図面の簡単な説明】
【００１２】
【図１】眼科撮影装置の全体の構成を示す光学図である。
【図２】撮影用光源の正面図である。
【図３】（ａ）は被検眼の水晶体と共役な位置に配置される遮光部材の正面図、（ｂ）は被検眼の瞳と共役な位置に配置される絞りの正面図である。
【図４】被検眼前眼部での遮光部材の像を示す説明図である。
【図５】黒点板の正面図である。
【図６】被検眼の角膜と共役な位置に配置される遮光部材の正面図である。
【図７】図６の遮光部材と撮影用光源の角膜面での像を示す説明図である。
【図８】図１の光学配置でステレオ撮影を行うときの原理的な光学構成を示した光学図である。
【図９】（ａ）は２孔絞りの正面図、（ｂ）は単孔絞りの正面図である。
【図１０】（ａ）は分離して示したステレオ撮影用と単眼撮影用の撮影マスクの正面図、（ｂ）は重ね合わせて配置したステレオ撮影用と単眼撮影用の撮影マスクの正面図である。
【発明を実施するための形態】
【００１３】
以下、図面に示す実施例に基づき本発明を詳細に説明する。以下の実施例では、眼科撮影装置として眼底カメラを例にして説明が行われる。
【実施例】
【００１４】
図１には、ステレオ撮影（立体撮影）と単眼撮影（モノラル撮影）が可能な眼底カメラ１０が図示されている。図１は、ステレオ撮影を中心に描かれており、単眼撮影のときは、それぞれ対応した光学素子に切り替えられる。
【００１５】
眼底カメラ１０には、眼底を照明する照明光学系と、照明された眼底を撮影する撮影光学系が設けられている。照明光学系では、ハロゲンランプなどの光源１１から発せられた光並びに凹面鏡１２で反射した光は、光路に挿脱可能な可視カット赤外透過フィルタ１３を介して赤外光となり、撮影用光源１４を通過して拡散板１５に入射して拡散され、水晶体と共役な位置に配置されたリングスリット（遮光部材）１６を照明し、被検眼１の前眼部瞳１ｂと共役な位置に配置された固定絞り７２を通過する。
【００１６】
撮影用光源１４は、図２に図示したように、例えばリング状又はＵ字状の放電管１４ａ内にキセノンを封入した光源で、電極１４ｂに高圧をかけることにより管内に瞬間的な放電が発生して自然昼光に近い光を発光する。撮影用光源１４の放電管１４ａはリング状又はＵ字状になっているので、中心部に円形ないし楕円形の空洞部１４ｃが形成され、電極１４ｂの近傍には横長の不発光部１４ｄが形成される。撮影用光源１４は、空洞部１４ｃの中心を照明光学系の照明光軸７０と一致させて被検眼前眼部の角膜と共役な位置に配置される。
【００１７】
リングスリット１６は、図３（ａ）の左側に図示したように、中央に位置する遮光部１６ａを支持部１６ｂで支持したリング状の開口部１６ｃからなる金属製の黒色の遮光部材で、遮光部１６ａの中心を照明光学系の照明光軸７０と一致させて被検眼水晶体の後面と共役な位置に配置される。
【００１８】
リングスリット１６は、ステレオ撮影用であり、単眼撮影時（あるいは眼底観察時）には、図３（ａ）の右側に示したリングスリット１６’に切り替えられる。リングスリット１６’も、中央に位置する遮光部１６ａ’を支持部１６ｂ’で支持したリング状の開口部１６ｃ’からなる金属製の黒色の遮光部材で、光路に挿入されるときは、遮光部１６ａ’の中心を照明光学系の照明光軸７０と一致させて被検眼水晶体の後面と共役な位置に配置される。
【００１９】
ステレオ撮影用のリングスリット１６の遮光部１６ａは、縦幅がｄ１で横幅がｄ２の小判形状をしており、単眼撮影用のリングスリット１６’の遮光部１６ａ’は円形で、その径ｄ１’は、ｄ１より大きく、ｄ２より小さくなっている。
【００２０】
固定絞り７２は、図３（ｂ）に示したように、リングスリット１６、１６’の開口部１６ｃ、１６ｃ’の径より小さな開口部７２ａを有する円形の開口絞りで、開口部７２ａの中心を照明光学系の照明光軸７０と一致させて被検眼前眼部の瞳と共役な位置に配置される。
【００２１】
図４に示したように、固定絞り７２の像は被検眼の瞳１ｂの位置に、またリングスリット１６、１６’の像は被検眼１の水晶体１ｄの後面に形成され、リングスリットと固定絞りを通過した照明光により被検眼眼底１ａが均一に照明される。なお、図４（図７でも）では、説明の都合上、各像の符号が、実際の部材と同じ符号で図示されており、単眼撮影時の像が括弧を付して図示されている。
【００２２】
リングスリット１６、１６’は、撮影用光源１４と後述する黒点板間に配置され、ステレオ撮影か単眼撮影かに応じて大きさ又は位置が異なり、撮影モードによって大きさ又は位置が可変な第１遮光部材を構成している。また、リングスリット１６、１６’は被検眼水晶体（後面）と共役な位置に配置されるので、照明光の水晶体中心部での有害反射光を遮光することができる。
【００２３】
図１に戻って、リングスリット１６と固定絞り７２を通過した照明光は、レンズ１７、対物レンズ２２での照明光の有害反射光を遮光するための黒点板１８、ハーフミラー１９、リレーレンズ２０、遮光部材７１を通過し、中心に穴の開いた穴あきミラー２１で全反射される。穴あきミラー２１で反射された照明光は対物レンズ２２を経て、被検眼１の瞳１ｂより眼底１ａに入射し、眼底１ａを赤外光で照明する。
【００２４】
黒点板１８は、図５に図示したように、円形の透明なガラス板の中心に縦０．３ｍｍ、横０．５ｍｍの楕円形の黒点１８ａが形成されたステレオ撮影用の黒点板で、黒点１８ａの中心を照明光学系の照明光軸７０と一致させて照明光学系に配置される。黒点板１８は、単眼撮影のときは、黒点板１８’に切り替えられる。黒点板１８’は、円形の透明なガラス板の中心に径が０．３ｍｍの円形の黒点１８ａ’が形成された２枚のガラス板を重ね合わせたもので、各黒点の中心が照明光学系の照明光軸７０と一致するように照明光学系に配置される。
【００２５】
ステレオ撮影時には、黒点板１８が照明光学系の光路に挿入され、その黒点１８ａの対物レンズ２２によるレンズ面反射像が、後述する２孔絞りを覆うので、対物レンズ２２の中心部の面で反射された照明光（撮影光）が２孔絞りを通過するのを防止する。また、単眼撮影時には、黒点板１８’が光路に挿入され、その黒点１８ａ’の像は、後述する単孔絞りを覆うので、対物レンズ２２の面で反射された照明光が単孔絞りを通過するのを防止する。このように、黒点板１８、１８’は、照明光の対物レンズの表面中心部で発生する有害反射光を遮光して、撮影される眼底画像の品質を高めることができる。
【００２６】
照明光学系の穴あきミラー２１と黒点板１８間に配置されたステレオ撮影用の遮光部材７１は、図６の左側に示したように、縦幅がｄ３で横幅がｄ４の小判形状をした遮光部７１ａを支持部７１ｂで支持したリング状の開口部７１ｃを有する金属製の黒色の遮光部材で、遮光部７１ａの中心を照明光学系の照明光軸７０と一致させて被検眼前眼部の角膜と共役な位置に配置される。
【００２７】
単眼撮影時には、遮光部材７１は遮光部材７１’に切り替えられる。遮光部材７１’は、図６の右側に示したように、径ｄ３’がｄ３より大きくｄ４より小さな円形の遮光部７１ａ’を支持部７１ｂ’で支持したリング状の開口部７１ｃ’を有する金属製の黒色の遮光部材で、遮光部７１ａ’の中心を照明光学系の照明光軸７０と一致させて被検眼前眼部の角膜と共役な位置に配置される。
【００２８】
遮光部材７１（７１’）の像は、図４に示したように、被検眼の角膜１ｃの表面に形成され、またその遮光部７１ａ（７１ａ’）を対物レンズを通して角膜面上で見た像が図７（ａ）、（ｂ）に図示されている。撮影用光源１４も、角膜と共役な位置にあり、図７（ａ）には、その像が点線で示されている。なお、遮光部材７１（７１’）の像は、レンズにより撮影用光源１４の像に対して実際の左右の関係が逆になるので、図７に示したように、遮光部材の支持部７１ｂ（７１ｂ’）と撮影光源１４の不発光部１４ｄの像の向きが一致している。
【００２９】
遮光部材７１（７１’）の遮光部７１ａ（７１ａ’）の角膜面での像は、図７（ａ）、（ｂ）に示したように、撮影用光源１４の放電管の像の外径より小さく、またその空洞部１４ｃの角膜での像を覆うように、遮光部７１ａ（７１ａ’）の大きさ並びに形状が定められる。また、遮光部材７１（７１’）の支持部７１ｂ（７１ｂ’）は、その角膜面での像が撮影用光源１４の不発光部１４ｄの像とほぼ一致するように、そのサイズ並びに位置が定められる。
【００３０】
遮光部材７１（７１’）の支持部７１ｂ（７１ｂ’）は、撮影光源１４の不発光部１４ｄとほぼ同じ角膜位置に結像されるので、撮影用光源１４が発光しても非反射性の支持部７１ｂ（７１ｂ’）のエッジが２次光源となって明るく光ることはない。従って、２次光源による対物レンズでの反射による有害な中心像は、全体に薄明るい撮影用光源１４の像と遮光部７１ａ（７１ａ’）の像となり、局所的に明るい部分はなく、撮影される眼底画像の品質を高めることができる。
【００３１】
遮光部材７１、７１’はステレオ撮影か単眼撮影かに応じて大きさ又は位置が異なり、撮影モードによって大きさ又は位置が可変な第２遮光部材を構成している。また、遮光部材７１、７１’は被検眼角膜と共役な位置に配置されるので、照明光の角膜での有害反射光を遮光することができる。
【００３２】
図１に戻って、眼底１ａからの反射光は、対物レンズ２２を介して受光され、穴あきミラー２１の穴を通過して、図９（ａ）に示したような円形の２つの孔３１ａと３１ｂを有する撮影絞りとしての２孔絞り３１に入射する。２孔絞り３１は、その中心３１ｃを撮影光軸４８に合わせて被検眼１の瞳１ｂとほぼ共役な位置に配置され、２孔絞り３１の２つの孔３１ａ、３１ｂにより眼底からの反射光はその光路が左右に分割される。光路が分割された眼底１ａからの左右一対の光束はフォーカスレンズ３２に入射し、このフォーカスレンズ３２は、撮影光軸４８に沿って移動可能で被検眼視度の個体差による眼底結像位置のずれを補正する。なお、単眼撮影のときは、２孔絞り３１に代えて、図９（ｂ）に示したような単孔絞り３１’が前眼部瞳と共役位置の光路に挿入される。
【００３３】
フォーカスレンズ３２を通過した眼底像は、続いて結像レンズ３３を通過して、ハーフミラー３４で反射され、眼底１ａと共役な位置に配置され眼底の撮影範囲を定める撮影マスク４２、４３を介して赤外透過可視反射ミラー（光路分割手段）３６に入射する。フォーカスレンズ３２と結像レンズ３３は、２孔絞り３１を介した視差のある左右一対の２つの眼底像を撮影マスク４３の位置に中間像として結像する第１の結像光学系（撮影光学系）を構成する。
【００３４】
撮影マスク４２は、図１０（ａ）に図示したように、円形の開口部４２ａと全波長不透過の遮光部４２ｂからなる単眼撮影用の撮影マスクである。撮影マスク４３は、ステレオ撮影用の撮影マスクで矩形状の開口部４３ａと、赤外光のみを透過させる外周が円形な領域４３ｂから構成されている。撮影マスク４２はその中心を撮影光軸４８に合わせて撮影光学系の光路に固定配置されており、ステレオ撮影時には、図１０（ｂ）に示したように、撮影マスク４３が、その中心が撮影光軸４８と一致するように、光路に挿入される。単眼撮影時には、図１０（ａ）に示したように、撮影マスク４３が光路から離脱されて撮影マスク４２が有効になる。単眼撮影用の撮影マスク４２のときは、撮影光は開口部４２ａを透過し、ステレオ撮影用の撮影マスク４３のときは、撮影光は開口部４２ａより面積が小さい開口部４３ａを透過し、撮影モードの変更によって撮影マスクを通過する撮影光の透過範囲が変化する。
【００３５】
図１に戻って、赤外透過可視反射ミラー３６を透過した赤外光は、ミラー３８で反射され、レンズ３７を通過して赤外光に感度を有する赤外ＣＣＤなどで構成される撮像素子（撮像手段）４０に入射され、モニタ４１にその信号が入力される。
【００３６】
また、リレーレンズ４７が、第1の結像光学系の射出瞳像を後述の第２の結像光学系に結ぶために配置されている。ミラー３６で反射された可視光が、このリレーレンズ４７を介して前眼部瞳１ｂと共役位置に配置された２孔絞り５０に入射する。２孔絞り５０は、図９（ａ）に示した２孔絞り３１と同様な絞りであり、２孔絞り５０に近接して（つまり２孔絞り３１とほぼ共役な位置に）一対の光路分割レンズ５１、５２が配置される。この一対の光路分割レンズは、後述するように、撮影マスク４３からの光路を分割し、撮影マスク４３の位置に中間像として結像された左右一対の眼底像を互いに重ならないように左右に分離して再結像する第２の結像光学系を構成する。ここで光路分割レンズ５１、５２は撮影光軸４８に対して等間隔に、つまり撮影光軸４８に対して軸対称に、配置されることが最適である。
【００３７】
この第２の結像光学系による結像面に、可視光に感度を有する可視ＣＣＤなどで構成される撮像素子（撮像手段）５３の撮像面５３ａが配置され、光路分割レンズ５１、５２と撮像素子５３間にはリターンミラー６０が配置される。可視カット赤外透過フィルタ１３が光路から離脱され、リターンミラー６０が光路に挿入される場合には、分離された左右一対の眼底像をミラー６１を介して接眼レンズ（双眼観察手段）６２により肉眼観察することができる。
【００３８】
撮像素子５３で撮像された眼底像は、メモリ５４に記憶することができ、また、外部パソコン（不図示）に取り込まれたり、モニタ４１に表示されたり、あるいはプリンタ（不図示）に出力される。
【００３９】
一対の同じ倍率の光路分割レンズ５１、５２は、異なる倍率の他の一対の光路分割レンズ５１’、５２’に切り替えることができ、異なる倍率で一対の眼底像を撮影することができる。この異なる倍率の一対の光路分割レンズ５１’、５２’に切り替えられると、それに連動してステレオ撮影用の撮影マスク４３も開口が異なる撮影マスク４３’に切り替えられる。
【００４０】
なお、単眼撮影時には、光路分割レンズ５１、５２に代えて、単眼撮影用の結像レンズ５５が光路に挿入され、２孔絞り５０は光路から離脱される。
【００４１】
また、照明光学系には、フォーカスドット光源３０が設けられ、この光源３０からの光束がハーフミラー１９を介して眼底１ａに入射され、フォーカスレンズ３２の移動に応じてフォーカスドット位置が変化するので、検者はフォーカスドットを観察することにより被検眼眼底にピントを合わせることができる。
【００４２】
また、アライメントの初期段階では、前眼部レンズ４４が挿入されるので、検者は被検眼１の前眼部の画像をモニタ４１で確認することができる。また、アライメントや合焦操作のときは、複数のＬＥＤ光源４５ａからなる内部固視灯４５のいずれかのＬＥＤ光源が点灯され、検者は被検者にこの固視灯を注視させることによりアライメントや合焦操作を確実にすることができる。
【００４３】
図８は、ステレオ撮影するときの眼底像を結像する光学系の主要部を示したもので、図１と同じ素子には同じ符号が付されている。
【００４４】
なお、図１、図８において、被検眼１の眼底１ａと共役な位置がＲで、また前眼部瞳と共役な位置がＰで図示されている。
【００４５】
また、図１、図８において、２孔絞り３１、５０並びに光路分割レンズ５１、５２は、光路を図面上で上下に分割するように、図示されているが、実際には、左右方向（紙面に垂直な方向）に分割する。しかし、図面で左右方向に光束を分割する状態を図示するのは、困難であるので、図１、図８では、２孔絞り３１、５０並びに光路分割レンズ５１、５２は、便宜上、紙面と直角の方向から見たときのものが図示されている。
【００４６】
このように構成された眼底カメラにおいて、可視カット赤外透過フィルタ１３が照明光路に挿入されているので、ハロゲンランプ１１を点灯すると、眼底が赤外光で照明される。
【００４７】
眼底観察時（単眼撮影時）には、リングスリット１６’、黒点板１８’、遮光部材７１’、単孔絞り３１’、単眼撮影用の結像レンズ５５が光路に挿入され、撮影マスク４３、２孔絞り５０などは光路から離脱される。
【００４８】
赤外光で照明された眼底像は、対物レンズ２２、フォーカスレンズ３２、結像レンズ３３により撮影マスク４２の位置に結像され、赤外透過可視反射ミラー３６を透過して結像レンズ３７により撮像素子４０の撮像面に動画として再結像されるので、眼底像がモニタ４１に白黒画像として表示され、検者はモニタ４１を介して眼底像を無散瞳で観察できる。このとき、撮像素子４０への結像倍率を、第２の結像光学系による結像倍率よりも低倍率としておくと、広角の眼底画像を観察することができ、無散瞳時のアライメントを容易にすることができる。また、光源３０によるフォーカスドットを観察することにより被検眼眼底にピントを合わせることができる。
【００４９】
なお、アライメントの初期段階では、前眼部レンズ４４が挿入されるので、検者は被検眼１の前眼部の画像をモニタ４１で観察してアライメントを行う。
【００５０】
アライメントが完了すると、シャッタスイッチ４６が操作され、そのシャッタ操作信号が撮像素子５３とメモリ５４に入力され、撮像素子５３が起動されて、眼底の静止画の取り込み動作に入るとともに、シャッタスイッチ４６の操作信号に同期して撮像素子５３から撮影用光源１４に発光を指示する信号が伝えられるので、撮影用光源１４が発光する。撮影用光源１４の発光により照明された眼底は、撮像素子５３により静止画として撮像される。
【００５１】
この眼底像の取得時、遮光部材７１’の非反射性の支持部７１ｂ’は、図７（ｂ）に示したように、撮影光源１４の不発光部１４ｄとほぼ同じ角膜位置に結像されるので、撮影用光源１４が発光しても支持部７１ｂ’のエッジが２次光源となって明るく光ることはなく、対物レンズの反射による有害像は少ない。従って、単眼撮影される眼底像の品質を高めることができる。
【００５２】
ステレオ撮影のときは、リングスリット１６’、黒点板１８’、遮光部材７１’に代えてリングスリット１６、黒点板１８、遮光部材７１が光路に挿入される。また単孔絞り３１’、結像レンズ５５に代えて２孔絞り３１、光路分割レンズ５１、５２が光路に挿入され、２孔絞り５０が光路に挿入される。
【００５３】
眼底１ａからの光束は、２孔絞り３１により光路が左右に分割されて、フォーカスレンズ３２と結像レンズ３３により視差のある左右一対の中間像として撮影マスク４３の位置に結像され、この眼底像がモニタ４１により観察される。
【００５４】
撮影マスク４３の領域４３ｂは、赤外光のみを透過する領域であり、矩形開口部４３ａは、すべての帯域の光束を透過させるので、撮像素子４０で撮像され、モニタ４１に表示される画像には、図１の右上のＡで示したように、矩形開口部４３ａに対応した矩形の輪郭線４３ｃが表示され、検者はステレオ撮影時の撮影範囲がどの程度であるかを確認することができる。
【００５５】
このように、眼底観察時には、撮影マスクの領域４３ａと４３ｂの領域を光（赤外光）を透過し、また、撮影用光源１４が発光する眼底撮影時では、撮影マスクの領域４３ｂの領域を光（可視光）が透過し、観察時と撮影時で撮影マスクを透過する光の透過範囲が変化する。
【００５６】
撮影マスク４３の位置に結像された視差のある左右一対の眼底像は、リレーレンズ４７、２孔絞り５０を通過して光路分割レンズ５１、５２に入射する。
【００５７】
リレーレンズ４７は、第１結像レンズ３３の射出瞳像を、光路分割レンズ５１、５２に結ぶように配置される。つまり、リレーレンズ４７を介して、光路分割レンズ５１、５２は、被検眼の瞳１ｂとほぼ共役な位置に配置されており、２孔絞り３１の一方の孔３１ａの像が、光路分割レンズ５２の近傍に形成され、他方の孔３１ｂの像が、光路分割レンズ５１の近傍に形成される。従って、図８に示したように、２孔絞りの孔３１ａ、３１ｂの中心３１ｃ、３１ｄと光路分割レンズ５２、５１のレンズ中心５２ａ、５１ａはそれぞれ結像関係（共役な関係）にある。
【００５８】
撮影マスク４３の中心を経て、光路分割レンズ５１、５２のレンズ中心５１ａ、５２ａを通る光線５１ｂ、５２ｂは、撮像面５３ａの点５１ｃと５２ｃに到達する。到達点５１ｃ、５２ｃの距離が、撮影光軸４８に直交する方向（図８で上下方向）に沿った撮像面５３ａの全長Ｌのほぼ半分の距離に等しい長さに設定されるので、左右一対の眼底像で光路分割レンズ５１により結像される眼底像は、撮像面５３ａの上半分に、また光路分割レンズ５２により結像される眼底像は、撮像面５３ａの下半分に互いに重なることなく、分離されて撮像され、撮像面５３ａの全体を有効に使用した立体視用の眼底画像の取得が可能となる。
【００５９】
図８において、薄い点で塗りつぶした光線の経路から分かるように、視差のある左画像（図８で下側）は撮像面の左側（下側）に、また右画像は右側（上側）に結像され、従来のように、左右を入れ換えるためのプリズムを必要とすることなく、左右関係が整合した視差画像を取得することができる。
【００６０】
可視カット赤外透過フィルタ１３が光路から離脱され、リターンミラー６０を光路に挿入したときには、図１に示したように、光路分割レンズ５１、５２で分離された左右一対の視差のある眼底像は、ミラー６１を介して接眼レンズ６２で観察することができる。このとき、観察される眼底像は、図１の右上のＢで示したように、分離された左右一対の視差のある眼底像１ｃ、１ｄとなる。
【００６１】
撮像素子５３で撮像する場合には、シャッタスイッチ４６を操作する。この操作に同期してリターンミラー６０が光路から離脱され、撮影用光源１４が発光する。撮影用光源１４の発光により図１のＢで示したような重なることなく分離した左右一対の視差のある眼底像１ｃ、１ｄが撮像素子５３に撮像される。
【００６２】
この眼底像の取得時、遮光部材７１の非反射性の支持部７１ｂは、図７（ａ）に示したように、撮影光源１４の不発光部１４ｄとほぼ同じ角膜位置に結像されるので、撮影用光源１４が発光しても支持部７１ｂのエッジが２次光源となって明るく光ることはなく、有害像は少ないので単眼撮影のときと同様に、ステレオ撮影される眼底像の品質を高めることができる。
【００６３】
このようにして撮像された一対の眼底画像はメモリ５４に保存され、後で読み出して立体視装置により立体視することができる。
【００６４】
なお、図１に示したように、一対の光路分割レンズ５１、５２は、倍率の異なる他の一対の光路分割レンズ５１’、５２’に切り換えることができる。この場合には、縮小あるいは拡大した視差のある一対の眼底像が撮影される。このとき、切り換えに連動して、撮影マスク４３を倍率に応じて拡大あるいは縮小された開口を有する撮影マスク４３’に切り換えるようにする。
【００６５】
また、光路分割レンズ５１、５２に近接して配置される２孔絞り５０は、各レンズ５１、５２の鏡胴を利用できるので、必ずしも必要とするものではない。
【符号の説明】
【００６６】
１  被検眼
１ａ  眼底
１ｂ  前眼部
１６、１６’  リングスリット（第１遮光部材）
１８、１８’  黒点板
２１  穴あき全反射ミラー
２２  対物レンズ
３１  ２孔絞り
３１’  単孔絞り
３２  フォーカスレンズ
３３  結像レンズ
４０  撮像素子
４２、４３  撮影マスク
４６  シャッタスイッチ
４７  リレーレンズ
５０  ２孔絞り
５１、５２  光路分割レンズ
５３  撮像素子
５５  単眼撮影用結像レンズ
６２  接眼レンズ
７１、７１’  遮光部材（第２遮光部材）
【図１】
0005409410.tif 000002
【図２】
0005409410.tif 000003
【図３】
0005409410.tif 000004
【図４】
0005409410.tif 000005
【図５】
0005409410.tif 000006
【図６】
0005409410.tif 000007
【図７】
0005409410.tif 000008
【図８】
0005409410.tif 000009
【図９】
0005409410.tif 000010
【図１０】
0005409410.tif 000011